(57)【要約】【課題】釣用仕掛けの作成を容易にし、フック部に取り付けた疑似餌やエサが水中で適切な姿勢を保つことができ、魚へのアピール力を高め、魚がフック部に喰いついたときにジグヘッドが水中で釣り糸の周囲を回転することにより、釣り糸に生じたよりを戻すことで絡みにくくするといった機能や、ジグヘッドにかかる力を適度に分散し、釣り糸が切れることを防ぐ機能を備えた、ジグヘッドを提供する。さらには、当該ジグヘッドを使用した釣用仕掛けセットを提供する。【解決手段】ヘッド部２とフック部３とを一体化したジグヘッド１であって、ヘッド部２に釣り糸４を通す貫通孔５が設けられており、貫通孔５は、釣り糸４の入口６の径（ｒ１）が、出口７の径（ｒ２）の１．３〜３．０倍である。【選択図】図１
2017189130.tif 000002
【特許請求の範囲】
【請求項１】
ヘッド部とフック部とを一体化したジグヘッドであって、
前記ヘッド部に釣り糸を通す貫通孔が設けられており、
前記貫通孔は、前記釣り糸の入口の径（ｒ１）が、出口の径（ｒ２）の１．３〜３．０倍であるジグヘッド。
【請求項２】
前記貫通孔は、前記ジグヘッドの軸に対して垂直に設けられている請求項１に記載のジグヘッド。
【請求項３】
前記貫通孔は、前記釣り糸の入口から出口方向にかけて径が連続的又は段階的に小さくなるように形成されている請求項１又は２に記載のジグヘッド。
【請求項４】
前記貫通孔は、少なくとも一部が円錐状に設けられている請求項３に記載のジグヘッド。
【請求項５】
前記ヘッド部の比重は、５．００以下である請求項１〜４の何れか一項に記載のジグヘッド。
【請求項６】
前記釣り糸の出口の径（ｒ２）は、０．２〜１．０ｍｍである請求項１〜５の何れか一項に記載のジグヘッド。
【請求項７】
前記ヘッド部の材質は、樹脂、軽金属、又はこれらを組み合わせたものである請求項１〜６の何れか一項に記載のジグヘッド。
【請求項８】
前記ヘッド部の外観は、色彩や光沢を有する透明乃至半透明である請求項１〜７の何れか一項に記載のジグヘッド。
【請求項９】
請求項１〜８の何れか一項に記載のジグヘッドを使用した釣用仕掛けセット。
【発明の詳細な説明】
【技術分野】
【０００１】
本発明は、ヘッド部と釣り針とを一体化したジグヘッド、及びそのジグヘッドを使用した釣用仕掛けセットに関するものである。
【０００２】
ジグヘッドはフック部（釣り針）の根元にヘッド部（錘）がついており、フック部にワーム等の疑似餌の他、エサ等を取り付けて使用するものである。フック部とヘッド部とが一体化しているものは、ジグヘッドのほか、伝統漁法で使われるカブラ、テンヤ等が挙げられる。ジグヘッドは、錘と釣り針とをそれぞれ釣り糸に結びつける必要がなく、手軽で、操作がしやすく、飛距離が得られることから、川釣り、海釣りを問わず、幅広く使用されている。ジグヘッドには、ヘッド部の形状がラウンド型、バレット型、ヤジリ型等の種類があり、仕掛けの作成が容易で、水中での疑似餌やエサの姿勢を適切な状態に保つことができ、魚が喰いついたときにかかる力に耐えうるものが望まれている。
【０００３】
従来公知のジグヘッドに釣り糸を取り付ける場合、ヘッド部に設けられた釣り糸連結部（ラインアイ）に釣り糸を通し、魚釣り特有の複雑な結び方をする必要があり、初心者にとっては、仕掛けを作成するのに手間や時間がかかるといった問題があった。釣り糸の結び方が適切でないと、ジグヘッドのフック部に取り付けた疑似餌等の水中での姿勢や動きが不自然となり、魚が警戒することから、釣果が得られないといった問題があった。また、魚がジグヘッドのフック部に喰いついたとき、魚の引く力と釣り人の引く力とが、ジグヘッドと釣り糸との結び目に一点集中し、それらの力に釣り糸が耐えることができずに切れてしまい、魚に逃げられるといった問題があった。
【０００４】
そこで、仕掛けの作成が容易であり、ジグヘッドのフック部に取り付けた疑似餌等が水中で適切な姿勢を保つことができ、魚の警戒心を減らすとともに魚へのアピール力を高め、魚がフック部に喰いついたときにジグヘッドにかかる力を適度に分散し、釣り糸が絡まったり、切れたりすることを防ぐことが可能なジグヘッドの開発が行われている。
【０００５】
例えば、特許文献１によれば、釣り針に糸を接続するための部分を２箇所設けて、道糸とおもりとを取り付けるための糸（リーダー）を別々に接続するものが開示されている。特許文献１の釣り針においては、特殊な糸の結び方を必要とせずダウンショットリグ等の仕掛けを作ることができ、釣り針の軸に対して針先のある側が上になるように糸を結ぶ事が容易となり、水中での疑似餌の姿勢が安定し、ずれることがなく、魚への針がかりが良いことが記載されている。
【先行技術文献】
【特許文献】
【０００６】
【特許文献１】特開２００１−１５７５３０号公報
【発明の概要】
【発明が解決しようとする課題】
【０００７】
しかし、特許文献１に開示された釣り針においては、魚がフック部に喰いついたとき、魚の引く力と釣り人の引く力とが、フックアイと釣り糸との結び目に集中し、釣り糸が絡まったり、切れやすくなるといった問題があった。また、フック部に疑似餌等が少しでもずれて取り付けられると、疑似餌等が水流の影響を直接受けることから、水中で不自然な動きをするため、魚に警戒されるといった問題があった。さらに、釣り針に糸を接続するための部分を２箇所設けるためには、フックアイ部分をＳ字型等に成形する必要があり、製造においてコストや手間がかかるといった問題があった。
【０００８】
本発明は、上記問題点に鑑みてなされたものであり、仕掛けの作成を容易にし、フック部に取り付けた疑似餌やエサが水中で適切な姿勢を保つことができ、魚へのアピール力を高め、魚がフック部に喰いついたときにジグヘッドが水中で釣り糸の周囲を回転することにより、釣り糸に生じたよりを戻すことで絡みにくくするといった機能や、ジグヘッドにかかる力を適度に分散し、釣り糸が切れることを防ぐ機能を備えた、ジグヘッドを提供することを目的とする。さらには、当該ジグヘッドを使用した釣用仕掛けセットを提供することを目的とする。
【課題を解決するための手段】
【０００９】
上記課題を解決するための本発明に係るジグヘッドの特徴構成は、
ヘッド部とフック部とを一体化したジグヘッドであって、
前記ヘッド部に釣り糸を通す貫通孔が設けられており、
前記貫通孔は、前記釣り糸の入口の径（ｒ１）が、出口の径（ｒ２）の１．３〜３．０倍であることにある。
【００１０】
本構成のジグヘッドによれば、ヘッド部に釣り糸を通す貫通孔が設けられており、釣り糸が通しやすいように、釣り糸の入口の径（ｒ１）が出口の径（ｒ２）の１．３〜３．０倍に構成されている。釣り糸の入口の径が大きく構成されているため、釣り糸を通すことが容易となる。釣り糸をヘッド部に通し、片結び等の簡単な結び目を、貫通孔に通した釣り糸の上流側と下流側とに作成することで仕掛けが完成する。このような仕掛けは、魚がジグヘッドのフック部に喰いついたときに、ジグヘッドのヘッド部が釣り糸をスライド移動することができる構成となっているため、魚の引く力と釣り人の引く力とが、一点に集中することなく分散され、釣り糸が絡まったり、切れたりすることを防ぐことができる。また、ヘッド部は整流効果を備えており、疑似餌やエサに直接水流の影響を受けることを防ぐことから、疑似餌等が水中で自然な動きをすることができる。その結果、魚の警戒心を減らすことができる。
【００１１】
本発明に係るジグヘッドにおいて、
前記貫通孔は、前記ジグヘッドの軸に対して垂直に設けられていることが好ましい。
【００１２】
本構成のジグヘッドによれば、ジグヘッドの軸に対して、貫通孔を垂直に設けることで、釣り糸がヘッド部の中央をまっすぐに通ることにより、ジグヘッドの軸に対して上半分と下半分との均整がとれるため、フック部に取り付けた疑似餌やエサの姿勢を適切な状態に保つことができるとともに、疑似餌等が水中で自然な動きをすることができる。その結果、魚の警戒心を減らすことができる。
【００１３】
本発明に係るジグヘッドにおいて、
前記貫通孔は、前記釣り糸の入口から出口方向にかけて径が連続的又は段階的に小さくなるように形成されていることが好ましい。
【００１４】
本構成のジグヘッドによれば、釣り糸の入口から出口方向にかけて、径が連続的又は段階的に小さくなるように貫通孔を形成することで、釣り糸を貫通孔に通すことが容易になるとともに、水中でジグヘッドに取り付けた疑似餌やエサが不自然に動くことを防ぐことができる。また、貫通孔に通した釣り糸の上流側と下流側とに結び目を作成することで、ジグヘッドがそれらの結び目よりもさらに上流側や下流側に移動しないようにすることができる。その結果、水中の一定の層においてジグヘッドに取り付けた疑似餌やエサを自然な状態で浮遊させ、目的の層の魚を狙う事ができる。また、貫通孔をこのような構造とすることにより、ジグヘッドが釣り糸をスライド移動しやすくなり、ジグヘッドに取り付けた疑似餌やエサが水中で自然な動きをすることができるようになるとともに、魚がフック部に喰いついたときには、ジグヘッドのスライド移動により力が一点集中することなく分散され、釣り糸が切れにくくなる。
【００１５】
本発明に係るジグヘッドにおいて、
前記貫通孔は、少なくとも一部が円錐状に設けられていることが好ましい。
【００１６】
本構成のジグヘッドによれば、貫通孔の少なくとも一部を円錐状の構造とすることで、釣り糸を通しやすくするとともに、水中で釣り糸が円滑にスライド移動することが可能となる。また、ジグヘッドのフック部に取り付けた疑似餌やエサが自然な動きをすることができるため、安定した釣果を得ることができる。さらに、魚がフック部に喰いついたとき、ジグヘッドがスライドして動くことで、魚の引く力と釣り人の引く力とが分散され、釣り糸が切れることを防ぐことができる。
【００１７】
本発明に係るジグヘッドにおいて、
前記ヘッド部の比重は、５．００以下であることが好ましい。
【００１８】
本構成のジグヘッドによれば、ヘッド部の比重に応じて、目的の層にジグヘッドを漂わせることで、目的の層の魚を狙うことができる。本構成のジグヘッドのヘッド部の比重は、一般に使用されている鉛等の金属製の錘に比べて比重が小さいため、上層から下層まで幅広い層の魚を狙うことができる。
【００１９】
本発明に係るジグヘッドにおいて、
前記釣り糸の出口の径（ｒ２）は、０．２〜１．０ｍｍであることが好ましい。
【００２０】
本構成のジグヘッドによれば、小型から大型の魚用の釣り糸に対応することができ、海釣り、川釣りを問わず、目的に応じて幅広い釣りに使用することができる。また、太い釣り糸にも対応できるので、道糸とハリスとをつなげて使用しなくても、道糸をそのまま水中でハリスとして使用することもできる。太い釣り糸を使用する場合、糸を結ぶ力が強くなるため、通常はスナップ等が必要となるが、本構成のジグヘッドにおいては、簡単な結び目を作るだけで仕掛けが完成する。
【００２１】
本発明に係るジグヘッドにおいて、
前記ヘッド部の材質は、樹脂、軽金属、又はこれらを組み合わせたものであることが好ましい。
【００２２】
本構成のジグヘッドによれば、樹脂や軽金属は、一般的に使用されている鉛等の金属製のヘッド部より比重が小さい。樹脂を使用すると、中層から上層のうちの一定の深さの層にジグヘッドを漂わせることができる。また、軽金属を使用すると、ジグヘッドが水中をゆっくりと沈んでいき、中下層で漂うため、上層から下層までの幅広い層の魚の興味を引くことができる。さらに、樹脂に軽金属の粉末等を混合することで、ヘッド部の比重を調整することが可能となるため、目的の層の魚を狙う事ができる。
【００２３】
本発明に係るジグヘッドにおいて、
前記ヘッド部の外観は、色彩や光沢を有する透明乃至半透明であることが好ましい。
【００２４】
本構成のジグヘッドによれば、ジグヘッドのヘッド部を色彩や光沢を有する透明乃至半透明にすることで、水中において魚の興味を引くとともに、魚の攻撃性を増加させるため、釣果をさらに得ることができる。
【００２５】
上記課題を解決するための本発明に係る釣用仕掛けセットの特徴構成は、
前記何れか一つに記載のジグヘッドを使用したことにある。
【００２６】
本構成の釣用仕掛けセットによれば、前記のジグヘッドと仕掛けとをセットにしているため、この釣用仕掛けセットを釣竿に取り付けるだけで、初心者でも簡単に釣りを楽しむことができる。そして、本構成の釣用仕掛けセットは、水中での疑似餌やエサの姿勢を適切に保つことができため、ジグヘッドに取り付けた疑似餌等が水中で自然な動きをすることができる。また、魚がフック部分に喰いついたときに、ジグヘッドのヘッド部が釣り糸をスライド移動することで、魚の引く力と釣り人の引く力とが、一点に集中することなく分散され、釣り糸が絡まったり、切れたりすることを防ぐことができる。
【図面の簡単な説明】
【００２７】
【図１】第一実施形態〜第四実施形態にかかるジグヘッドの縦断面図である。
【図２】第一実施形態にかかるジグヘッドの貫通孔に釣り糸を通した状態の拡大図である。
【図３】第一実施形態にかかるジグヘッドに疑似餌を取り付けた使用状態を示す図である。
【図４】第五実施形態にかかるジグヘッドの縦断面図、及び横断面図である。
【図５】一般に使用されている従来のジグヘッドの縦断面図である。
【図６】ダウンショットリグに本発明のジグヘッドを使用した図である。
【図７】ノーシンカーリグに本発明のジグヘッドを使用した図である。
【図８】サビキ仕掛けに本発明のジグヘッドを使用した図である。
【発明を実施するための形態】
【００２８】
以下、本発明のジグヘッド、及びそのジグヘッドを用いた釣用仕掛けセットに関する実施形態について、図面を参照しながら説明する。ただし、本発明は、以下に説明する実施形態や図面に記載される構成に限定されることを意図しない。
【００２９】
初めに、従来のジグヘッドについて、簡単に説明する。図５は、一般に使用されている従来のジグヘッド２０の縦断面図である。従来のジグヘッド２０は、ヘッド部２に釣り糸を結び付ける釣り糸連結部（ラインアイ２１）があり、釣り糸がジグヘッド２０から簡単に外れないように、特殊な結び方（例えば、クリンチノット、ユニノット、パロマーノット等）が必要である。そのため、初心者にとって、仕掛けを作成するのに時間がかかるといった問題があった。また、魚がフック部３にヒットした際、魚の引く力と釣り人の引く力とが釣り糸とラインアイ２１との結び目に集中し、釣り糸が絡まったり、切れたりすることで魚に逃げられるという問題があった。本発明のジグヘッドは、ジグヘッドのヘッド部２に貫通孔を設け、釣り糸の入口を出口よりも大きい構造とすることで仕掛けの作成を容易にし、水中での疑似餌の姿勢を適切な状態に保ち、魚がフック部３に喰いついたときに釣り糸にかかる力を分散させることで、釣り糸が絡んだり、切れたりする問題を解決するものである。以下、本発明のジグヘッドの代表的な実施形態について説明する。
【００３０】
〔第一実施形態〕
図１（ａ）は、本発明の第一実施形態にかかるジグヘッド１１Ａ（１１）の縦断面図である。ジグヘッド１１Ａ（１１）は、ヘッド部２とフック部３ａとを一体化して構成される。ヘッド部２は、錘として機能するとともに、フック部３ａの軸に対して垂直方向に釣り糸を挿通させる貫通孔５が設けられる。フック部３ａは、先端が貫通孔５の入口６側に曲げられることにより、釣り針として構成される。貫通孔５のサイズは、入口６の径（ｒ１）が出口７の径（ｒ２）よりも大きくなるように形成されている。貫通孔５の形状は、入口６側が円錐状となり、出口７側が円筒状となるように構成されている。本実施形態のジグヘッド１１Ａ（１１）によれば、貫通孔５の入口６側が円錐状構造を有するため、釣り糸を入口６から挿入すると、出口７までスムーズに通り抜けることができる。また、貫通孔５の出口７側が円筒状構造を有するため、水中ではジグヘッド１１Ａ（１１）が釣り糸に対して略垂直な状態を保つことができる。ジグヘッド１１Ａ（１１）のヘッド部２は、本実施形態のような楕円体形状の他、ラウンド型、ヤジリ型、魚頭型形状等であってもよい。
【００３１】
〔第二実施形態〕
図１（ｂ）は、本発明の第二実施形態にかかるジグヘッド１１Ｂ（１１）の縦断面図である。第二実施形態にかかるジグヘッド１１Ｂ（１１）は、第一実施形態にかかるジグヘッド１１Ａ（１１）の貫通孔５の形状のみを変更したものである。従って、ヘッド部２及びフック部３ａの説明については省略する。ジグヘッド１１Ｂ（１１）に設けられる貫通孔５は、入口６側から出口７側にかけて連続的に径が減少するように構成されている。本実施形態のジグヘッド１１Ｂ（１１）によれば、釣り糸を入口６から挿入すると、出口７までスムーズに通り抜けることができる。本実施形態の場合、貫通孔５の全長に亘って幅に余裕があるため、ジグヘッド１１Ｂ（１１）は水中でスライドしやすく、その結果、魚の引く力と釣り人の引く力とがより分散しやすくなる。
【００３２】
〔第三実施形態〕
図１（ｃ）は、本発明の第三実施形態にかかるジグヘッド１１Ｃ（１１）の縦断面図である。第三実施形態にかかるジグヘッド１１Ｃ（１１）は、第一実施形態にかかるジグヘッド１１Ａ（１１）の貫通孔５の形状のみを変更したものである。従って、ヘッド部２及びフック部３ａの説明については省略する。ジグヘッド１１Ｃ（１１）に設けられる貫通孔５は、第二実施形態と同様に、入口６側から出口７側にかけて連続的に径が減少するものであるが、径の減少率が徐々に小さくなるように構成されている。本実施形態のジグヘッド１１Ｃ（１１）によれば、釣り糸を入口６から挿入すると、出口７までよりスムーズに通り抜けることができる。本実施形態の場合、貫通孔５の出口７側は円筒に近い形状となっているため、水中ではジグヘッド１１Ｃ（１１）が釣り糸に対して略垂直な状態を保つことができる。また、貫通孔５の全長に亘って幅に余裕があるため、ジグヘッド１１Ｃ（１１）は水中でスライドしやすく、その結果、魚の引く力と釣り人の引く力とがより分散しやすくなる。
【００３３】
〔第四実施形態〕
図１（ｄ）は、本発明の第四実施形態にかかるジグヘッド１１Ｄ（１１）の縦断面図である。第四実施形態にかかるジグヘッド１１Ｄ（１１）は、第一実施形態にかかるジグヘッド１１Ａ（１１）の貫通孔５の形状のみを変更したものである。従って、ヘッド部２及びフック部３ａの説明については省略する。ジグヘッド１１Ｄ（１１）に設けられる貫通孔５は、入口６側から出口７側にかけて段階的に径が減少するように構成されている。本実施形態のジグヘッド１１Ｄ（１１）によれば、貫通孔の一部が円筒状構造を有するため、水中ではジグヘッド１１Ｄ（１１）が釣り糸に対して略垂直な状態を保つことができる。なお、図１におけるジグヘッド１１Ｄ（１１）は、貫通孔５の径が二段に設定されているが、三段以上に設定したものであってもよい。
【００３４】
貫通孔５は、釣り糸の入口６の径（ｒ１）が、出口７の径（ｒ２）の１．３〜３．０倍に設定され、好ましくは１．５〜２．５倍に設定される。釣り糸の入口６の径（ｒ１）が、出口７の径（ｒ２）の１．３倍より小さくなると、釣り糸の入口６の径と出口７の径との差を十分に確保できなくなる。そのため、釣り糸を通しやすくするために、入口６の径を大きくすると、出口７の径も大きくしなければならなくなり、ジグヘッド１１を介した釣り糸の上流側と下流側との結び目を通り越してジグヘッド１１がスライド移動し過ぎる虞がある。また、ジグヘッド１１が移動し過ぎないようにするために、釣り糸の結び目を二重、三重にすると、釣り糸が不自然に曲がり、魚の警戒心が増す虞がある。一方、釣り糸の入口６の径（ｒ１）が、出口７の径（ｒ２）の３．０倍よりも大きくなると、水中でジグヘッド１１が必要以上にぐらつき、ジグヘッド１１に取り付けた疑似餌等の姿勢が適切な状態に保たれずに動きが不自然となり、魚の警戒心が増す虞がある。
【００３５】
図２は、第一実施形態にかかるジグヘッド１１Ａ（１１）のヘッド部２の貫通孔５に釣り糸４を通した状態の拡大図である。ジグヘッドのヘッド部２の貫通孔５に釣り糸４を通し、貫通孔５に通した釣り糸４の上流側及び下流側に、夫々片結び等の簡単な結び目４ａ、４ｂを作成することにより仕掛けが完成する。図３は、ジグヘッド１１Ａ（１１）に疑似餌１２を取り付けた使用状態を示す図である。ジグヘッド１１Ａ（１１）が釣り糸４の上流側の結び目４ａと下流側の結び目４ｂとの間をスライドすることができるとともに、水中で疑似餌１２が適切な姿勢を保つことができる。また、魚が疑似餌１２に喰いついたときに、ジグヘッド１１Ａ（１１）が釣り糸４をスライドするため、魚の引く力と釣り人の引く力とが分散され、釣り糸４が切れることを防ぐことができる。さらに、ジグヘッド１１Ａ（１１）のヘッド部２に使用する材料の比重を変えることにより、上層から下層までの目的の層の魚を狙うことができる。
【００３６】
図４は、本発明の第五実施形態にかかるジグヘッド１１Ｅ（１１）の縦断面図（図４（ａ））、及び横断面図（図４（ｂ））である。第五実施形態にかかるジグヘッド１１Ｅ（１１）は、第一実施形態にかかるジグヘッド１１Ａ（１１）のフック部３ａを変更したものである。本実施形態におけるフック部３ｂは、ヘッド部２と一体化する部分がリング状に構成されている。図４（ｂ）に示すように、フック部３ｂのリング部分は、貫通孔５の周囲を取り囲むように設けられている。フック部３ｂのリング部分が、ヘッド部２の内部に存在することにより、ジグヘッド１１Ｅ（１１）の強度がさらに高まり、魚がフック部３ｂにヒットした際に強い力が加わっても、ジグヘッド１１Ｅ（１１）が破損することを防ぐことができる。なお、図４では、第一実施形態にかかるジグヘッド（図１（ａ））のフック部３ａをフック部３ｂに変更した実施形態を図示しているが、第二実施形態にかかるジグヘッド（図１（ｂ））、第三実施形態にかかるジグヘッド（図１（ｃ））、又は第四実施形態にかかるジグヘッド（図１（ｄ））のフック部３ａを、第五実施形態に使用するフック部３ｂに変更してもよい。
【００３７】
ジグヘッド１１のヘッド部２の比重は、５．００以下であることが好ましく、より好ましくは４．００以下である。ヘッド部２の比重が５．００より大きくなると、ジグヘッド１１がすぐに水底へと沈んでしまうため、上層から下層までの魚をじっくりと狙うことができない。なお、ヘッド部２の比重が、１．００以下であると、水面に浮かぶため、カエル等の小動物の形状の疑似餌を取り付けて上層の魚を狙う事ができる。ヘッド部２の比重が１．００〜１．７０であると、中層から上層を漂うため、この領域の層の魚を狙うことができる。ヘッド部２の比重が１．７０〜５．００であると、水中をゆっくりと沈んでいくため、上層から下層まで幅広い層の魚の興味を引くことができる。
【００３８】
釣り糸４の出口７の径（ｒ２）は、０．２〜１．０ｍｍであることが好ましく、より好ましくは０．４〜０．８ｍｍである。出口７の径が０．２ｍｍより小さくなると、最も径の小さい０．８号（標準直径０．１５ｍｍ）の釣り糸であっても、貫通孔５に通すことが難しくなる。また、釣り糸４を通して仕掛けを作成できたとしても、釣り糸４が貫通孔５の出口７にひっかかり、水中でジグヘッド１１が円滑にスライドし難くなる。そのため、ジグヘッド１１に取り付けた疑似餌等に魚が喰いついたとき、魚の引く力と釣り人の引く力とが分散され難いため、釣り糸が絡まったり切れたりする虞がある。一方で、出口７の径が１．０ｍｍを超えると、貫通孔５を通した釣り糸４の上流側の結び目４ａ及び下流側の結び目４ｂをジグヘッド１１が通り抜けてしまう虞がある。また、釣り糸は、最も径の大きいもので３０号（標準直径０．９１ｍｍ）であるため、出口の径（ｒ２）が１．０ｍｍあれば、十分対応することができる。
【００３９】
ジグヘッド１１のヘッド部２の材質は、鉛、タングステン、亜鉛、ステンレス、ニッケル、チタン、鉄、アルミニウム、銅等の金属の他、セラミック、樹脂等の非金属を使用することができるが、樹脂又は軽金属が好ましい。樹脂としては、例えば、アクリル系樹脂、スチレン系樹脂、塩化ビニル系樹脂が挙げられる。樹脂は、一般的に使用されているジグヘッドのヘッド部の材質よりも比重が小さく、比重は１．０５〜１．５０であるため、中層から上層にかけてジグヘッド１１を漂わせることができる。また、軽金属としては、アルミニウム、マグネシウム、ベリリウム、チタンが挙げられる。軽金属の比重も一般的に使用されているジグヘッドのヘッド部の材質よりも比重が小さく、１．７０〜５．００であるため、ジグヘッド１１が水中をゆっくりと沈んでいき、中下層で漂うため、上層から下層まで幅広い層の魚の興味を引くことができる。また、樹脂に軽金属の粉末等を混合することで、ヘッド部の比重を調整することが可能となるため、目的の層の魚を狙う事ができる。ヘッド部２の材質として樹脂や軽金属を使用した場合、加工がしやすいため、貫通孔５の形成やフック部３の取り付けがしやすく、製造コストを抑えることができる。
【００４０】
ヘッド部２の外観は、色彩や光沢を有する透明乃至半透明であることが好ましく、魚の警戒心を抑えつつ、興味を引かせるために、透明度を保つ範囲内で薄い色を付したり、ラメ粉末を混ぜて光沢を付することもできる。特にヘッド部２に樹脂を使用した場合は、様々な色彩やラメ粉末等によりデザインを施すことが可能であるため、模様のバリエーションや自由度が増すこととなる。
【００４１】
図６は、ダウンショットリグと呼ばれる仕掛けにジグヘッド１を使用した図である。この釣用仕掛けセット８においては、シンカー１３を着底させて、釣り糸４を張っておくと、疑似餌１２やエサを取り付けたジグヘッド１は一定の層に漂うことができるため、従来のダウンショットリグのように下層から中下層のみならず、中層から上層の魚も丹念に狙うことができる。また、ジグヘッド１のフック部３に魚が喰いついたとき、ジグヘッド１のヘッド部２が釣り糸４をスライドすることができるとともに、ヘッド部２が釣り糸４の周りを自由に回転することができるため、魚の引く力と釣り人の引く力とが分散される。その結果、釣り糸４が絡まったり、切れたりすることを防ぐことが可能となる。
【００４２】
図７は、ノーシンカーリグと呼ばれる仕掛けにジグヘッド１を使用した図である。この釣用仕掛けセット９においては、ジグヘッド１のヘッド部２の比重によって、上層から下層までの魚を狙うことができる。また、疑似餌１２やエサが水流に乗って、本物の魚のような自然な動きをすることができるため、狙う魚へのアピールを高めることができる。魚が疑似餌１２やエサに喰いついたときには、ジグヘッド１のヘッド部２が自由に回転することができるとともに釣り糸４をスライドすることができるため、魚の引く力と釣り人の引く力とが分散され、釣り糸４が絡まったり、切れたりすることを防ぐことができる。
【００４３】
図８は、サビキ仕掛けにジグヘッド１を使用した図である。この釣用仕掛けセット１０においては、比重の異なるヘッド部２を使用したジグヘッド１を使用して、複数の層の魚を狙う事ができる。比重の小さい順に釣り糸４の上方から下方に取り付けて、各ジグヘッド上下間に結び目４ａ及び４ｂ、４ｃ及び４ｄ、４ｅ及び４ｆを作成して仕掛が完成する。魚が疑似餌１２やエサに喰いついたときには、ジグヘッド１のヘッド部２が自由に回転することができるとともに上下にスライドすることができるため、一般に使用される枝糸を用いたサビキ仕掛けに比べ、釣り糸４が絡まったり、切れることを防ぐことができる。図８では、シンカー１３を使用して、一定の層を丹念に狙う釣用仕掛けセットを示しているが、シンカーを取り付けずに、使用することも可能である。
【産業上の利用可能性】
【００４４】
本発明のジグヘッド、及び釣用仕掛けセットは、小型から大型の魚に適用することができ、ルアーフィッシング等のレジャーのみならず、漁業用にも使用することができる。本発明のジグヘッド、及び釣用仕掛けセットの利用場面としては、川、湖、海、ダム等が挙げられる。
【符号の説明】
【００４５】
１、１１          ジグヘッド
２                ヘッド部
３（３ａ、３ｂ）  フック部
４                釣り糸
５                貫通孔
６                入口
７                出口
８                釣用仕掛けセット（ダウンショットリグ）
９                釣用仕掛けセット（ノーシンカーリグ）
１０              釣用仕掛けセット（サビキ仕掛け）
【図１】
2017189130.tif 000003
【図２】
2017189130.tif 000004
【図３】
2017189130.tif 000005
【図４】
2017189130.tif 000006
【図５】
2017189130.tif 000007
【図６】
2017189130.tif 000008
【図７】
2017189130.tif 000009
【図８】
2017189130.tif 000010